(57)【要約】【課題】１回の操作で複数ページからなる原稿画像データ中で、任意のページに対して異なる出力形式に対する複合機能処理要求を指示することを可能とし、ページ割された画像データに対して複合機能処理を駆使した所望の出力処理を複数並行処理することである。【解決手段】スキャナ部２０２で複数枚の原稿を読み取る際に、操作部２０６より複合機能処理で可能な複数の出力形式をページ単位に指定し、該指定された出力形式をコア部２１０がハードディスク２１１上で管理し、ページ単位で管理される出力形式に基づいて、記憶された画像データ中の各ページの画像データを複合機能中のいずれかの機能処理に振り分けて出力制御する構成を特徴とする。【選択図】　　　図２
2004146972.tif 000002
【特許請求の範囲】
【請求項１】
スキャナ部，プリンタ部，データ通信部を制御して複合機能処理を実行可能なデータ処理装置であって、
前記スキャナ部で複数枚の原稿を読み取る際に、前記複合機能処理で可能な複数の出力形式をページ単位に指定する指定手段と、
前記指定手段によりページ単位で指定された出力形式を管理する管理手段と、
前記スキャナ部から読み取られる画像データを記憶する記憶手段と、
前記管理手段によりページ単位で管理される出力形式に基づいて、前記記憶手段によって記憶された画像データ中の各ページの画像データを前記複合機能中のいずれかの機能処理に振り分けて出力制御する制御手段と、
を有することを特徴とするデータ処理装置。
【発明の詳細な説明】
【０００１】
【発明の属する技術分野】
本発明は、画像データを処理するデータ処理装置の制御に関するものである。
【０００２】
【従来の技術】
近年の複写機のデジタル化に伴い、複写機のスキャナやプリンタを使用してファクシミリ送受信を行う機能や、ＰＤＬ（Ｐａｇｅ　Ｄｅｓｃｒｉｐｔｉｏｎ　Ｌａｎｇｕａｇｅ）プリントを行う機能等、複数の機能を合わせ持つ複合機（マルチファンクション機器（ＭＦＰ））が実用化されてきている。
【０００３】
このような複合機は、複写機能、ファクシミリ機能、ＰＤＬプリント機能等の単機能だけではなく、例えばＰＤＬ展開画像をファクシミリ送信するといった複数の機能を複合した機能を実行可能に構成されている。
【０００４】
更に、このような複合機は、複合機をＬＡＮ（ローカルエリアネットワーク）経由で接続することによって、コンピュータ装置等でも複合機の機能を利用できるように構成されている。
【０００５】
また、スキャナによって読み込んだ画像を、例えばＰＤＦファイルに変換してあるメールアドレスへ添付して送信するＳＥＮＤ機能等も備わっている。
【０００６】
また、このような複合機では、複写機能とＰＤＬプリント機能、ファクシミリプリント機能等に対して、プリンタ部分の制御プログラムを共通化し、また、複写機能とファクシミリ読み取り機能、スキャナ機能等に対して、リーダ部分の制御プログラムを共通化して、各種機能を実現する制御プログラム容量を削減し、所望の機能を経済性良く、また、簡略に実現することができる。
【０００７】
更に、このような複合機では画像データを蓄積する大容量のハードディスクや半導体メモリ等の画像記憶部を具備し、この画像記憶部に対して、スキャナによる読み取り画像データやＰＤＬの展開画像データ、ファクシミリ受信文書データ等を入力する画像入力ジョブと、画像記憶部に蓄積された画像データをプリントアウトしたり、ファクシミリ送信したり、ネットワークを介してコンピュータ装置へ画像転送したりするために読み出す画像出力ジョブとを組み合わせて実行することにより所望の機能を提供することができる。
【０００８】
また、画像データを蓄積する大容量のハードディスクの一部を利用して画像データを一時保管し、所望のタイミングで画像データを読み出すメールボックス機能を実現することも可能である。このメールボックス機能を実現するためにハードディスクの固定エリアに、例えば１００個のボックスを用意し、ユーザは複合機に接続されたコンピュータから画像データを取り込む際にボックス番号を指定することにより、対応するボックスに画像データを保存することが可能になっている。各ボックスに対してパスワードの照合を行うか行わないかを設定したり、ボックスの名称を設定することが可能になっている。
【０００９】
【発明が解決しようとする課題】
しかしながら、上述した従来の複合機では、ある原稿をスキャンしようとした場合に、複数の出力方式で出力したい事があった場合に煩雑な作業を必要としていた。
【００１０】
例えば０〜１０ページまではコピー出力をしたいが、１０〜２０ページまではＳＥＮＤ機能を使用したい、また１０〜２０ページは同時にＦＡＸ送信もしたい等のような要求があった場合に、今までは、まず最初に０〜１０ページをコピーして、その後に、１０〜２０ページをＳＥＮＤして、最後にもう一度１０〜２０ページをＦＡＸ送信すると言ったように作業を３回も行わなくてはならなかった。
【００１１】
また、既に個人のボックスに保存されている文書等に対して、複数の出力方式で出力したい時には、同様にそれぞれの作業を繰り返し設定する必要があった。
【００１２】
さらに、上述した従来の複合機にあっては，各ボックスをユーザが機密保持のためのボックスとして使用する場合には、各ボックスに対してパスワードが設定されるため、第３者に配布したい画像データを保管しても、正しいパスワードを入力しない限り第３者が画像データを取り出すことができなかった。
【００１３】
また、第３者に画像データを配布するためのボックスとして使用する場合は、第３者のボックスに機密保持のためのパスワードが設定されていると同様に正しいパスワードを入力しないとそのボックスにはアクセスすることができないので画像データを配布することは不可能であった。
【００１４】
また、実際ボックスの中には機密情報ばかりが入っている訳ではないので、第３者が他人のボックスの中からプリント出力もしくは閲覧したい場合、もしくは画像データを配布したい場合にこの過剰なセキュリティは妨げとなってしまう等の幾多の問題点が指摘されていた。
【００１５】
本発明は、上記の問題点を解決するためになされたもので、本発明の目的は、スキャナ部，プリンタ部，データ通信部を制御して複合機能処理を実行可能なデータ処理装置において、スキャナ部で複数枚の原稿を読み取る際に、前記複合機能処理で可能な複数の出力形式をページ単位に指定し、該指定された出力形式を管理し、ページ単位で管理される出力形式に基づいて、記憶された画像データ中の各ページの画像データを前記複合機能中のいずれかの機能処理に振り分けて出力制御することにより、１回の操作で複数ページからなる原稿画像データ中で、任意のページに対して異なる出力形式に対する複合機能処理要求を指示することを可能とし、ページ割された画像データに対して複合機能処理を駆使した所望の出力処理を複数並行処理できる利便性に優れたデータ処理環境を自在に構築することができるデータ処理装置を提供することである。
【００１６】
【課題を解決するための手段】
本発明は、スキャナ部，プリンタ部，データ通信部を制御して複合機能処理を実行可能なデータ処理装置であって、前記スキャナ部で複数枚の原稿を読み取る際に、前記複合機能処理で可能な複数の出力形式をページ単位に指定する指定手段（例えば図２に示す操作部２０６より図６に示すユーザインタフェースを介して指定処理する）と、前記指定手段によりページ単位で指定された出力形式を管理する管理手段（例えば図２に示すコア部２１０がハードディスク２１１上で管理する）と、前記スキャナ部から読み取られる画像データを記憶手段（例えば図２に示すハードディスク２１１）と、前記管理手段によりページ単位で管理される出力形式に基づいて、前記記憶手段によって記憶された画像データ中の各ページの画像データを前記複合機能中のいずれかの機能処理に振り分けて出力制御する制御手段（例えば図２に示すコア部２１０が実行する図５に示すステップＳ７０３〜Ｓ７０７）とを有することを特徴とする。
【００１７】
【発明の実施の形態】
〔第１実施形態〕
以下、本発明の実施形態を図面を参照して詳細に説明する。
【００１８】
図１は、本発明に係るデータ処理装置を適用可能な画像処理システムの一例を示す図である。
【００１９】
図１において、６０１〜６０３はホストコンピュータであり、いわゆるＤＴＰ（Ｄｅｓｋ　Ｔｏｐ　Ｐｕｂｌｉｓｈｉｎｇ：デスクトップパブリッシング）を実行するアプリケーションソフトウェアを所定のＯＳの管理の下で動作させ、各種文書／図形が作成／編集される。なお、ＯＳはプリンタ制御ドライバ（プリンタドライバ）をシステムメモリ上で管理し、該プリンタドライバを介してネットワーク上の機器にプリントジョブを出力可能に構成されている。
【００２０】
６０４はＭＦＰ（Ｍｕｌｔｉ　Ｆｕｎｃｔｉｏｎ　ｐｅｒｉｐｈｅｒａｌ：マルチファンクション周辺機器）であり、機能としてはプリント機能、スキャナ機能、ＦＡＸ機能等を有している。６０５はＬＡＮ（Ｌｏｃａｌ　Ａｒｅａ　Ｎｅｔｗｏｒｋ）であり、ホストコンピュータ６０１〜６０３とＭＦＰ６０４を接続して、ホストコンピュータ上で作成された文書等をＬＡＮ６０５を介してＭＦＰ６０４に印刷出力させたり、ＭＦＰ６０４のスキャナで読み込んだ画像データをホストコンピュータ６０１〜６０３に転送したりすることができる。
【００２１】
図２は、本発明の第１実施形態を示すデータ処理装置の構成を示すブロック図であり、図１に示したＭＦＰ６０４の機能ブロックに対応する。
【００２２】
図２において、２０１はコンピュータＩ／Ｆであり、外部装置であるホストコンピュータ６０１〜６０３と後述するコア部２１０との間のインタフェースとして機能し、ホストコンピュータ６０１〜６０３と１対１のローカルインタフェースを介して接続しても、ネットワークを介して接続してもよい。
【００２３】
２０２はスキャナ部であり、原稿の画像を読み取り、読み取った原稿画像に応じた画像データをＩＰ部２０３に転送する。ＩＰ部２０３は画像処理部であり様々な画像処理を施すことができる。
【００２４】
２０４はＦＡＸ部であり、電話回線を介して受信した圧縮画像データを伸長して、伸長されたデータをコア部２１０に転送し、また、コア部２１０で圧縮された画像データを電話回線を介して送信する。送受信する画像データは、ストレージ部２１２に一時的に保存することができる。
【００２５】
２０５は操作部インタフェースであり、操作部２０６とコア部２１０とを制御するインタフェース部であり、操作部２０６は様々なユーザインタフェースを備えており、操作することによってＭＦＰ６０４を所望の動作をさせることができる。
【００２６】
２０７はフィニッシャであり、後述するプリンタエンジン２０９から出力されたシートがフィニッシャに入ってきてサンプルトレイがジョブの種類や排出されるシートの枚数に応じて切り替えて排出される。
【００２７】
２０８はエンジンインタフェース部であり、コア部２１０から転送されてきたビデオデータからレーザビームを駆動し、プリンタエンジン２０９との制御をする。
【００２８】
２０９はプリンタエンジンであり、コア部２１０から転送されてきた画像データに応じた画像を記録媒体である記録紙上に記録する。２１０はコア部であり、コンピュータＩ／Ｆ部２０１、ＩＰ部２０３、ＦＡＸ部２０４、操作部Ｉ／Ｆ部２０５、フィニッシャ２０７、エンジンＩ／Ｆ部２０８、ハードディスク２１１のそれぞれの間のデータの流れを制御するものであり、いわば交通整理の役割を担っており、ＭＦＰ６０４における各種機能に応じてバスの切り替えを行うところである。
【００２９】
２１２はストレージ部であり、ハードディスク２１１が接続されている。ストレージ部２１２はコア部２１０で圧縮された画像データを検索するためのＩＤ（識別子）番号と共にハードディスク２１１に記憶させる。
【００３０】
また、ストレージ部２１２はコア部２１０を介して転送されたコードデータに基づいて、ハードディスク２１１に記憶されている圧縮データを検索し、該検索された圧縮画像データを読み出してコア部２１０へ転送する。コア部２１０は圧縮画像データを伸長して各制御部へ転送する。
【００３１】
図３は、図１に示したＭＦＰ６０４のスキャナ部２０２の構成を示す断面図である。
【００３２】
図３において、３０１は原稿台ガラスであり、読み取られるべき原稿３０２が置かれる。原稿３０２は照明ランプ３０３により照射され、その反射光はミラー３０４、３０５、３０６を経て、レンズ３０７によりＣＣＤ３０８上に結像される。
【００３３】
ミラー３０４、照明ランプ３０３を含む第１ミラーユニット３１０はミラー３０４は速度ｖで移動し、ミラー３０５、３０６を含む第２ミラーユニット３１１は速度１／２ｖで移動することにより、原稿３０２の前面を走査する。第１ミラーユニット３１０及び第２ミラーユニット３１１はモータ３０９により駆動する。
【００３４】
図４は、図１に示したＭＦＰ６０４のプリンタエンジン２０９の構成を示す断面図である。
【００３５】
図４において、４０１は、ポリゴンミラーであり、半導体レーザより発光されたレーザ光を受ける。レーザ光はミラー４０２、４０３、４０４をへて感光ドラム４１０を走査する。一方、４０５は黒色のトナーを供給する現像器であり、レーザ光に従い、感光ドラム４１０上にトナー像を形成し、トナー像がシートに転写され、出力画像を得ることができる。
【００３６】
シートカセット４１２，４１３、および手差しトレイ４１１のいずれかより給紙されたシートは、レジストローラ４０６をへて、転写ベルト４０７上に吸着され、搬送される。給紙のタイミングと同期がとられて、予め感光ドラム４１０にはトナーが現像されており、シートの搬送とともに、トナーがシートに転写される。トナーが転写されたシートは、分離され、定着器４０９によって、トナーがシートに定着される。
【００３７】
そして、定着器４０９を抜けたシートはフラッパによりいったん下方向へ導かれてシートの後端がフラッパを抜けた後、スイッチバックさせて搬出する。これによりフェイスダウン状態で排出され、先頭頁から順にプリントしたときに正しいページ順となる。
【００３８】
図５は、本発明に係るデータ処理装置における第１のデータ処理手順の一例を示すフローチャートであり、複数枚の原稿のうち複数の出力方式をページ単位で指定した場合の具体的な制御手順に対応する。なお、Ｓ７０１〜Ｓ７０８は各ステップを示す。
【００３９】
まず最初に、複数枚の原稿をＭＦＰ６０４のフィーダ上に置いてスキャンして読み込む（ステップＳ７０１）。その際のＭＦＰ６０４の操作部２０６上の画面の表示例を図６に示している。
【００４０】
図６は、図１に示したＭＦＰ６０４の操作部２０６上における第１のページ別異機能一括設定画面の表示例を示す図である。
【００４１】
図６に示す、操作部２０６上では、機能別に例えばコピー、ＦＡＸ、ボックスなどのタグが表示されて、各々選択することにより詳細な設定が行えるようになっている。ここでは、個人のボックスに読み込んだ原稿を格納したいのでボックスのタグを押した後の表示画面例に対応する。
【００４２】
そして、スキャナで原稿を読み込む前に、どのボックスに格納するか選択をすることができる。個人のボックスは予め作成してあるか、また作成していなければ操作部２０６上で新規に個人のボックスを作成することができる。不図示の上下左右の矢印キーを操作することによって、ボックス選択画面１０１で個人のボックスを選択する。
【００４３】
また不図示のテンキーを操作してボックス番号欄１０２にボックス番号を入力することによって個人のボックスを選択できるようにしてもよい。各ボックスは、ユーザ毎、もしくは、グループ毎に与えられている。さらに、読み込みたい複数枚の原稿に対して、出力形式をどうするかをページ単位で設定することができる。コピーをしたいのであればコピーページ指定欄１０３に、ＦＡＸをしたいのであればＦＡＸページ指定欄１０４に、ＳＥＮＤをしたいのであればＳＥＮＤページ指定欄１０５にそれぞれ不図示のテンキーによってページ範囲を指定入力する。また各々の詳細な設定はそれぞれ詳細設定キー１０６〜１０８を押すことによりそれぞれの詳細設定画面へリンクする。そこで詳細な設定を行った後、再び図６に示す表示画面に戻ってくるので、再び次の機能の詳細設定画面へリンクする。同様な作業を繰り返して、全ての設定が終了したらＯＫキー１０９を押すことによってスキャンが開始される。
【００４４】
そして、図５において、スキャンが開始されたら、まずボックスに格納するよう指示がされているかどうかを確認する（ステップＳ７０２）。ボックス格納が選択されていなければ、そのまま原稿をスキャンしてコピー等の単機能処理を行うことになる（ステップＳ７０８）。
【００４５】
また、ボックス格納が選択されていた場合は、ステップＳ７０３において、複数の出力形式の設定を行っていたかを判断して、ボックス格納の設定しかないのであれば、スキャナで読み込んだ画像データを圧縮してステップＳ７０１にて選択された個人のボックスに保存する。
【００４６】
一方、ステップＳ７０３において複数の出力形式の設定がなされていた場合は、その出力形式毎に図６に示す表示例の如く、コピーは０〜１０ページまで、ＦＡＸは１０〜２０ページまで、さらに２０〜２５ページはＳＥＮＤも併せて行いたい等の情報を不図示のメモリに記憶して管理を行う（Ｓ７０４）。
【００４７】
ここで設定するページ指定は出力形式毎に別々にする必要はなく、同じページ範囲に対して複数の出力形式を設定しても構わない。
【００４８】
次に、ステップＳ７０５にて、選択された個人のボックスに画像データを圧縮して一旦保存する。
【００４９】
そして、一旦保存された画像データは、その時のＭＦＰ６０４の状態によって出力方式情報を解析して処理できる出力形式から平行して次々にページ単位で出力を行っていく（Ｓ７０６）。
【００５０】
上述したようなデータ処理手順の流れで、コピー、ＦＡＸ、ＳＥＮＤ等の複数の機能を一度設定を行っただけで、同時にジョブを振り分けて処理することが可能になる。
【００５１】
特に、図６に示す設定例では、０〜１０ページはコピー処理を、１０〜２０ページはＦＡＸ送信処理を、また２０〜２５ページはＳＥＮＤ機能を同時に行っている。
【００５２】
〔第２実施形態〕
次に図７，図８を参照して、第２実施形態を説明する。本実施形態に係るデータ処理装置の構成は第１実施形態と同様であるので、その説明は省略する。
【００５３】
なお、第１実施形態と第２実施形態の違いは、既に個人のボックスに保存されている画像データに対して、同様に複数の出力形式をページ単位で指定することであり、一度出力形式をページ単位に指定するだけで、複数頁からなる画像データ中の指定ページに対し出力形式が異なる複数の出力（例えばコピー，ファクシミリ，データ転送）を並行に行うことができる。以下、その実施形態について説明する。
【００５４】
この場合、設定を行うのはＭＦＰ６０４の操作部２０６上でも良いし、またＭＦＰ６０４に接続されたコンピュータ６０１〜６０３上でリモートにＭＦＰ６０４の操作部２０６を操作した場合でも構わない。
【００５５】
図７は、図１に示したＭＦＰ６０４の操作部２０６上における第２のページ別異機能一括設定画面の表示例を示す図である。
【００５６】
図８は、本発明に係るデータ処理装置における第２のデータ処理手順の一例を示すフローチャートであり、既に個人のボックスに保存されている画像データに対して、同様に複数の出力形式をページ単位で設定することで、一度設定をするだけで複数の出力を並行して行う場合における複数枚の原稿のうち複数の出力方式をページ単位で指定した場合の具体的な制御手順に対応する。なお、Ｓ８０１〜Ｓ８０５は各ステップを示す。
【００５７】
まず、ステップＳ８０１において、図７に示すようにボックス番号３０を開いた場合に画面例が表示され、ボックス番号３０内に保存されている文書一覧が５０１に表示される。
【００５８】
図７において、出力を行いたい文書をユーザが不図示の上下左右キーで選択を指示し、出力形式をどうするかをページ単位で設定することができる。この際、選択した文書のサムネイル表示をするのも可能である。
【００５９】
また、プリントをしたいのであればプリントページ指定欄５０２に、ＦＡＸをしたいのであればＦＡＸページ指定欄５０３に、ＳＥＮＤをしたいのであればＳＥＮＤページ指定欄５０４にそれぞれ不図示のテンキーによってページ範囲を指定入力する。また各々の詳細な設定はそれぞれ詳細設定キー５０５〜５０７を押すことによりそれぞれの詳細設定画面へリンクする。そこで詳細な設定を行った後、再び図６の表示画面に戻ってくるので、再び次の機能の詳細設定画面へリンクする。同様な作業を繰り返して、全ての設定が終了したらＯＫキー５０８を押すことによって、設定されたそれぞれの処理が開始される。
【００６０】
ステップＳ８０２において、単機能の出力形式しか指定されなかった場合はそのまま指定された出力形式での出力を行うことになる（Ｓ８０５）。
【００６１】
また、ステップＳ８０２において、複数の出力形式の設定が行われていた場合は、その出力形式毎に図７を例にとれば、プリントは０〜１０ページまで、ＦＡＸは１０ページから２０ページまで、さらに２０〜２５ページはＳＥＮＤも併せて行いたい等の情報を不図示のメモリに記憶して管理を行う（Ｓ８０３）。ここで設定するページ指定は出力形式毎に別々にする必要はなく、同じページ範囲に対して複数の出力形式を設定しても構わない。
【００６２】
次に、その時のＭＦＰ６０４の状態によって出力方式情報を解析して処理できる出力形式から平行して次々にページ単位で出力を行っていく（ステップＳ８０４）。上述したようなデータの流れで、プリント、ＦＡＸ、ＳＥＮＤ等の複数の機能を一度設定を行っただけで、同時にジョブを振り分けて処理することが可能になる。
【００６３】
図７の例では、０〜１０ページはプリント処理を、１０〜２０ページはＦＡＸ送信処理を、また２０〜２５ページはＳＥＮＤ機能を同時に行っている。
【００６４】
以上説明した各実施形態では、画像入出力をストレージ部２１２に接続されたハードディスク２１１を介して処理する場合に関して説明したが、ハードディスク２１１を使用することなく、例えば、不図示のページメモリの一部を使用して画像入出力動作を行う構成にしても同様に適用可能であることはいうまでもない。
【００６５】
また、本発明は、複数の機器から構成されるシステムに適用しても、１つの機器からなる装置に適用してよいのはいうまでもない。
【００６６】
〔第３実施形態〕
上記第１，第２実施形態では、ネットワークに接続されたプリンタやスキャナおよびファクシミリ等の装置からなる複合機において、スキャナで読み込もうとしている原稿を複数の出力形式で出力したい時に、一度に全ての出力に対する設定を行うことにより何度も設定をすることなく複数の所望の出力を得られるように制御する場合、および既にボックス等の記憶装置に保存されている文書に対しても一度に全ての出力に対する設定を行うことで、同様に複数の所望の出力を得られるように制御する場合について説明したが、ボックス等の記憶装置に原稿情報を保存する際に、機密情報を含むページとそれ以外の公開可能な情報を含むページとで格納する情報を異なる情報として保存管理することにより、当該ボックス中で印刷要求されている文書に対する出力処理を自在に切り替えてセキュリティと印刷要求とが満足する印刷結果を得られるボックス印刷制御を行うように構成してもよい。以下、その実施形態について説明する。
【００６７】
まず、複数枚の原稿のうち機密情報を含むページ範囲を指定した場合の具体的な制御動作例を図９等を参照して説明する。
【００６８】
図９は、本発明に係るデータ処理装置における機密情報頁指定を伴うボックス選択設定画面例を示す図であり、図２に示したＭＦＰ６０４の操作部２０６上に表示される。
【００６９】
図９において、操作部２０６上では、機能別に例えばコピー，ＦＡＸ，ボックスなどのタグが表示されて、各々選択することにより詳細な設定が行えるようになっている。
【００７０】
ここでは、個人のボックス（ＢＯＸ番号「０２」）に読み込んだ原稿を格納したいので、ボックスのタグを押した後の表示画面状態であり、スキャナ部２０２で原稿を読み込む前に、どのボックスに格納するか選択をすることができる。
【００７１】
なお、個人のボックスは予め作成してあるか、また作成していなければ操作部２０６上で新規に個人のボックスを作成することができる。図示しない上下左右の矢印キーを操作することによって、ボックス選択画面５０１で個人のボックスを選択する。また、図示しないテンキーを操作してボックス番号欄５０２にボックス番号を入力することによって個人のボックスを選択できるようにしてもよい。
【００７２】
各ボックスはユーザ毎、もしくは、グループ毎に与えられている。さらに，読み込みたい複数枚の原稿の中の機密情報を含むページを前記テンキーによって機密処理ページ指定欄５０３に入力し、全ての設定が終了したらＯＫキー５０４を押すことによって、スキャナ部２０２の原稿スキャン処理が開始される。
【００７３】
図１０は、本発明に係るデータ処理装置における第３のデータ処理手順の一例を示すフローチャートであり、ＭＰＦ６０４上でパスワード照合が確認されない場合には、公開しない頁を含む文書のボックス保存と、該保存した文書の印刷制御処理手順に対応し、該処理はコア部２１０のコントローラにより実行される。なお、Ｓ１００１〜Ｓ１０１１は各ステップを示す。
【００７４】
最初に、複数枚の原稿をＭＦＰ６０４のフィーダ上に置いてスキャンして読み込みを開始する（Ｓ１００１）。
【００７５】
スキャンが開始されたら、ますボックスに格納するよう指示がされているかどうかを確認する（Ｓ１００２）。ボックス格納が選択されていないと判断した場合は、そのまま原稿をスキャンしてコピー等の処理を行うことになるため、ステップＳ１００６へ進む。
【００７６】
一方、ステップＳ１００２で、ボックス格納が選択されていると判断した場合は、次に機密情報を含むページ範囲指定がなされていたかどうかを判断して（Ｓ１００３）、特に機密情報は含まれておらずページ範囲指定をしていないと判断した場合は、ステップＳ１００５へ進み、個人のボックスに読み込んだ画像データを圧縮して保存する。
【００７７】
一方、ステップＳ１００３において、原稿の中に機密情報を含むペーシが存在していて、ページ範囲指定を行っていたと判断した場合は、指定された範囲のページ以外は何も処理をしないで、指定されたページにもに機密加工処理を施した後に（Ｓ１００４）、個人のボックスに圧縮して格納する（Ｓ１００５）。
【００７８】
なお、ステップＳ１００４の機密加工処理は、例えばモザイク等の画像処理をかけて元データが全く判別てきないように加工処理するものとするが、元データが判別できないものならば、他の画像処理（他の置換パターンを用意して、その頁の画像に置き換える等の処理）であってもよい。
【００７９】
そして、ステップＳ１００５の処理が終了後、ボックスに格納された画像データを出力するために操作部２０６を介して、図１１に示すボックス内印刷文書選択画面を表示する。
【００８０】
図１１は、本発明に係るデータ処理装置におけるボックス内文書印刷選択画面例を示す図であり、図２に示したＭＦＰ６０４の操作部２０６上に表示され、例えばボックスタグを押した後、個人のボックス番号、例えば「３０」を押してボックスを開いた時の表示画面状態である。
【００８１】
図１１において、ボックス番号「３０」の中には、格納されている文書一覧６０１が表示される。印刷したい場合にはプリントキー６０２を押し、メールに添付して文書を送信したい場合は送信キー６０３を押すことになる。６０４は複製キー、６０５は消去キーである。
【００８２】
ここで、所望の文書を図示しない上下キーで選択するので、コア部２１０のコントローラは、操作部２０６でボックス内の文書が選択されたかどうかを判断して（Ｓ１００６）、ボックス内の文書が選択されないと判断した場合は、処理を終了する。
【００８３】
一方、ステップＳ１００６で、ボックス内の文書が選択されたと判断した場合は、図１１に示したプリントキー（印刷実行キー）６０２の押下指示による印刷要求がなされているかどうかを判断して（Ｓ１００７）、印刷実行キー６０２を押したと判断した場合、ステップＳ１００８において、選択した文書は機密情報を含む文書かどうかを判別して、もし、機密情報を含まない文書であったと判断した場合は、ステップＳ１０１０に進み全ページ通常通りにプリント出力を行い、処理を終了する。
【００８４】
一方、ステップＳ１００８において、機密情報を含む文書であると判断された場合は、操作部２０６上に、図１２の（ａ）のようなパスワードを入力するエリアＰＥが画面に表示される。
【００８５】
そして、パスワードが図示しないテンキーによって入力された後に、”照合”キーＫ１が下された場合には、予めハードディスク２１１に記録されているパスワード情報との照合が行われ（Ｓ１００９）、両方のパスワードが、一致していると判断した場合は、図１２の（ｂ）に示すように機密情報の有無に関わらず全ページ通常通りにプリント出力（通常プリント結果（ＯＫＰ））が行われる（Ｓ１０１０）。
【００８６】
一方、ステップＳ１００９において、両方のパスワートが不一致の場合、もしくは図１２の（ａ）において”照合を行わない”キーＫ２が押下された場合は、図１２の（ｃ）に示すように機密加工処理指定のあったページのみ内容が判別できない処理が施された状態（図１２の（ｃ）の黒塗りページＳＰ）でプリント出力され、その他のページは通常通りプリント出力され（Ｓ１０１１）、処理を終了する。
【００８７】
これにより、ネットワークに接続されたプリンタ・スキャナ・ＦＡＸ等からなる複合機において、個人のボックス内において本当に機密性が必要なページのみ第３者からアクセスできないような効果を奏する。
【００８８】
また、原稿をスキャンする際に操作部パネル上で機密性を保ちたいページを指定して、そのペーシにのみ他のユーザが見ることができないような加工を施すことで、個人のボックス全てにアクセス制限をかけるのではなく本当に機密であるページにのみモザイク等の加工処理を施することで，指定ページは閲覧およびプリント出力を不可能にすることが実現できる。
【００８９】
〔第４実施形態〕
上記第３実施形態では、機密加工処理指定のあったページを含む文書がボックスに保存された状態で、操作部２０６よりボックスが選択された場合に、機密加工処理指定のあったページがある場合には、パスワードの照合結果に従い機密加工処理指定のあったページを含む文書の出力を制御する場合について説明したが、機密加工処理指定のあったページを含む文書がボックスに保存された状態で、ネットワーク上のホストコンピュータから操作部２０６をリモートして、ホストコンピュータ上の画面にボックスに保存されている文書の表示要求があった場合に、機密加工処理指定のあったページがある場合には、パスワードの照合結果に従い機密加工処理指定のあったページを含む文書の表示を制御するようにしてもよい。以下、その実施形態について説明する。なお、本実施形態に係るデータ処理装置の構成は図１乃至は図２を参照して上述した第１実施形態と同様であるので、その説明は省略する。
【００９０】
図１３は、本発明に係るデータ処理装置におけるボックス保存文書に対する処理要求画面の一例を示す図であり、図１に示したホストコンピュータ６０１〜６０３のＭＰＦ６０４用のドライバにより表示装置に表示される。
【００９１】
図１４は、本発明に係るデータ処理装置における第４のデータ処理手順の一例を示すフローチャートであり、ホストコンピュータ６０１〜６０３から文書表示要求を受け付けた際に、ＭＰＦ６０４上でホストコンピュータ６０１〜６０３から受信するパスワード照合が確認されない場合には、公開しない頁を含む文書のボックス保存と、該保存した文書の表示制御処理手順に対応し、該処理はコア部２１０のコントローラにより実行される。なお、Ｓ９０１〜Ｓ９１１は各ステップを示す。本実施形態では、操作部２０６上でボックス内の文書を選択する代わりに、ＭＦＰ６０４に接続されているホストコンピュータ６０１〜６０３上でリモートにＭＦＰ６０４の操作部２０６上で操作するのと同様な処理を行った場合について述べる。
【００９２】
最初に、複数枚の原稿をＭＦＰ６０４のフィーダ上に置いてスキャンして読み込みを開始し（Ｓ９０１）。
【００９３】
スキャンが開始されたら、ますボックスに格納するよう指示がされているかどうかを確認する（Ｓ９０２）。ボックス格納が選択されていないと判断した場合は、そのまま原稿をスキャンしてコピー等の処理を行うことになるため、ステップＳ９０６へ進む。
【００９４】
一方、ステップＳ９０２で、ボックス格納が選択されていると判断した場合は、次に機密情報を含むページ範囲指定がなされているかどうかを判断して（Ｓ９０３）、特に機密情報は含まれておらずページ範囲指定をしていないと判断した場合は、ステップＳ９０５へ進み、個人のボックスに読み込んだ画像データを圧縮して保存する。
【００９５】
一方、ステップＳ９０３において、原稿の中に機密情報を含むペーシが存在していて、ページ範囲指定を行っていたと判断した場合は、指定された範囲のページ以外は何も処理をしないで、指定されたページに機密加工処理を施した後に（Ｓ９０４）、個人のボックスに圧縮して格納する（Ｓ９０５）。
【００９６】
この場合、ステップＳ９０６において文書を選択すると、図１３に示すような画面が表示される。
【００９７】
図１３において、ＶＩＥＷキー１００１が押下されると、データ処理装置内のボックスに圧縮されて格納されていた画像データが、ホストコンピュータ６０１〜６０３上で表示することが可能になる。
【００９８】
この場合、次に、ステップＳ９０８において、選択した文書は機密情報を含む文書かとうかを判別し、機密情報を含まない文書であったと判断した場合、ステップＳ９１０に進み、全ページ通常通りに文書表示を行う。
【００９９】
一方、ステップＳ９０８において，機密情報を含む文書であると判断された場合は、ホストコンピュータ６０１〜６０３上に図１２の（ａ）のようなパスワードを人力する画面が表示される。そして、パスワードが不図示のテンキーによって入力された後に、照合キーＫ１が押下された場合には、予め登録されているパスワードとの照合が行われ（Ｓ９０９）、両方のパスワードが一致していると判断した場合は、図１２の（ｂ）に示すように機密情報の有無に関わらず全ページ通常通りに文書表示が行われ（Ｓ９１０）、処理を終了する。
【０１００】
一方、ステップＳ９０９において、両方のパスワードが不一致の場合、もしくは図１２の（ａ）において、照合を行わないキーＫ２が押下された場合は、図１２の（ｃ）に示すように機密加工処理指定のあったページのみ内容が判別できない処理が施された状態で文書表示されるか、もしくは該指定ページは表示せず、その他のページは通常通り文書表示され（Ｓ９１１）、処理を終了する。
【０１０１】
また、第３実施形態と同様に、図１３に示す画面を表示可能なホストコンピュータ６０１〜６０３上からプリント出力（プリントキー６０２）を選択すれば、第３実施形態と同様な効果が得られることになる。
【０１０２】
これにより、その他のページはコンピュータ上での文書表示もプリント出力も可能となる。
【０１０３】
以上説明した各実施形態では、画像入出力をストレージ部２１２に接続されたハードディスク２１１を介して処理する場合に関して説明したが、ハードディスク２１１を使用することなく、例えば、不図示のページメモリの一部を使用して画像入出力動作を行う構成にしても同様に適用可能であることはいうまでもない。
【０１０４】
本発明は、複数の機器から構成されるシステムに適用しても、１つの機器からなる装置に適用してよいのはいうまでもない。
【０１０５】
以下、図１５に示すメモリマップを参照して本発明に係るデータ処理装置で読み出し可能なデータ処理プログラムの構成について説明する。
【０１０６】
図１５は、本発明に係るデータ処理装置で読み出し可能な各種データ処理プログラムを格納する記憶媒体のメモリマップを説明する図である。
【０１０７】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０８】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１０９】
本実施形態における図５，図８，図１０，図１４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１１０】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１１１】
この場合、記憶媒体から読み出されたプログラムコード自体が本発明の新規な機能を実現することになり、そのプログラムコードを記憶した記憶媒体は本発明を構成することになる。
【０１１２】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１１３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１５】
本発明は上記実施形態に限定されるものではなく、本発明の趣旨に基づき種々の変形（各実施形態の有機的な組合せを含む）が可能であり、それらを本発明の範囲から排除するものではない。
【０１１６】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１６について説明する。
【０１１７】
本発明に係る第１実施態様、スキャナ部，プリンタ部，データ通信部を制御して複合機能処理を実行可能なデータ処理装置であって、前記スキャナ部から読み取られる画像データを記憶手段（例えば図２に示すハードディスク２１１）と、前記記憶手段に記憶された画像データに対して、前記複合機能処理で可能な複数の出力形式をページ単位に指定する指定手段（例えば図２に示す操作部２０６より図６に示すユーザインタフェースを介して指定処理する）と、前記指定手段によりページ単位で指定された出力形式を管理する管理手段（例えば図２に示すコア部２１０がハードディスク２１１上で管理する）と、前記管理手段によりページ単位で管理される出力形式に基づいて、前記記憶手段によって記憶された画像データ中の各ページの画像データを前記複合機能中のいずれかの機能処理に振り分けて出力制御する制御手段（例えば図２に示すコア部２１０が実行する図８に示すステップＳ８０２〜Ｓ８０５）とを有することを特徴とする。
【０１１８】
本発明に係る第２実施態様、前記指定手段は、操作部からの指示に従い、前記複合機能処理で可能な複数の出力形式をページ単位に指定可能とすることを特徴とする。
【０１１９】
本発明に係る第３実施態様、前記管理手段は、前記指定手段によってページ範囲毎に指定された出力形式を示す情報をページ範囲毎に付加することを特徴とする。
【０１２０】
本発明に係る第４実施態様、前記記憶手段は、前記画像データを記憶する複数のボックスを有し、前記複数のボックスの中から所望のボックスを選択するボックス選択手段を有することを特徴とする。
【０１２１】
本発明に係る第５実施態様、前記ボックス選択手段は、操作部からの指示で所望のボックスを選択可能であることを特徴とする。
【０１２２】
本発明に係る第６実施態様、スキャナ部，プリンタ部，データ通信部を制御して複合機能処理を実行可能なデータ処理装置であって、前記スキャナ部で複数枚の原稿を読み取る際に、機密保持処理すべきページを指定する指定手段（例えば図２に示す操作部２０６より図９に示すユーザインタフェースを介して指定処理する）と、前記指定手段により指定されたページの原稿読み取り時に、前記スキャナ部から読み取られる原稿画像データに対して視認判別不能な特定画像データに加工する画像加工手段（例えば図２に示すコア部２１０が元画像データに対してモザイク処理を施して特定画像データを生成する）と、前記スキャナ部から読み取られる画像データおよび前記画像加工手段により画像加工された特定画像データをファイルとして記憶手段（例えば図２に示すハードディスク２１１）と、前記記憶手段中から出力すべきファイルを選択する選択手段と、前記選択手段により選択されたファイルに前記特定画像データが含まれているかどうかを判別する判別手段（例えば図２に示すコア部２１０が実行する図１０に示すステップＳ１００３）と、前記判別手段により前記特定画像データが含まれている場合に、前記選択手段によるファイル選択指示者が正当な指示者かどうかを認証する認証手段（例えば図２に示すコア部２１０が実行する図１０に示すステップＳ１００９）と、前記認証手段による認証結果に基づき、前記特定画像データを含むファイルを特定画像データのまま前記プリンタ部よりページ出力するか、前記特定画像データを元の原稿画像データに復元して前記プリンタ部よりページ出力するかを制御する制御手段（例えば図２に示すコア部２１０が実行する図１０に示すステップＳ１０１０，Ｓ１０１１）とを有することを特徴とする。
【０１２３】
本発明に係る第７実施態様、前記画像加工手段は、特定画像データを元の原稿画像データに復元処理可能とすることを特徴とする。
【０１２４】
本発明に係る第８実施態様、前記指定手段は、操作部からの指示に従い、機密保持処理すべきページを指定可能とすることを特徴とする。
【０１２５】
本発明に係る第９実施態様、前記記憶手段は、前記画像データを記憶する複数のボックスを有し、前記複数のボックスの中から所望のボックスを選択するボックス選択手段を有することを特徴とする。
【０１２６】
本発明に係る第１０実施態様、前記スキャナ部で複数枚の原稿を読み取る際に、前記複合機能処理で可能な複数の出力形式をページ単位に指示する指示手段（例えば図２に示す操作部２０６により指示する）と、前記指定手段によりページ単位で指定された出力形式を管理する管理手段（例えば図２に示すコア部２１０がハードディスク２１１上で管理する）と、前記管理手段によりページ単位で管理される出力形式に基づいて、前記記憶手段によって記憶された画像データ中の各ページの画像データを前記複合機能中のいずれかの機能処理に振り分けて出力制御する出力制御手段（例えば図２に示すコア部２１０が図５に示すステップＳ７０３からＳ７０７）とを有することを特徴とする。
【０１２７】
本発明に係る第１１実施態様、スキャナ部，プリンタ部，データ通信部を制御して複合機能処理を実行可能なデータ処理装置におけるデータ処理方法であって、前記スキャナ部で複数枚の原稿を読み取る際に、前記複合機能処理で可能な複数の出力形式をページ単位に指定する指定ステップ（例えば図５に示すステップＳ７０３）と、前記指定ステップによりページ単位で指定された出力形式を管理する管理ステップ（例えば図５に示すステップＳ７０４）と、前記スキャナ部から読み取られる画像データを記憶手段に記憶させる登録ステップ（例えば図５に示すステップＳ７０５）と、前記管理ステップによりページ単位で管理される出力形式に基づいて、前記記憶手段によって記憶された画像データ中の各ページの画像データを前記複合機能中のいずれかの機能処理に振り分けて出力制御する制御ステップ（例えば図５に示すステップＳ７０６）とを有することを特徴とする。
【０１２８】
本発明に係る第１２実施態様、スキャナ部，プリンタ部，データ通信部を制御して複合機能処理を実行可能なデータ処理装置におけるデータ処理方法であって、前記スキャナ部から読み取られる画像データを記憶手段に登録する登録ステップ（例えば図８に示すステップＳ８０１）と、前記記憶手段に記憶された画像データに対して、前記複合機能処理で可能な複数の出力形式をページ単位に指定する指定ステップ（例えば図８に示すステップＳ８０２）と、前記指定ステップによりページ単位で指定された出力形式を管理する管理ステップ（例えば図８に示すステップＳ８０３）と、前記管理ステップによりページ単位で管理される出力形式に基づいて、前記記憶手段によって記憶された画像データ中の各ページの画像データを前記複合機能中のいずれかの機能処理に振り分けて出力制御する制御ステップ（例えば図８に示すステップＳ８０４）とを有することを特徴とする。
【０１２９】
本発明に係る第１３実施態様、スキャナ部，プリンタ部，データ通信部を制御して複合機能処理を実行可能なデータ処理装置におけるデータ処理方法であって、前記スキャナ部で複数枚の原稿を読み取る際に、機密保持処理すべきページを指定する指定ステップと、前記指定ステップにより指定されたページの原稿読み取り時に、前記スキャナ部から読み取られる原稿画像データに対して視認判別不能な特定画像データに加工する画像加工ステップ（例えば図１０に示すステップＳ１００４）と、前記スキャナ部から読み取られる画像データおよび前記画像加工ステップにより画像加工された特定画像データをファイルとして記憶手段に登録する登録ステップ（例えば図１０に示すステップＳ１００５）と、前記記憶手段中から出力すべきファイルを選択する選択ステップ（例えば図１０に示すステップＳ１００６）と、前記選択ステップにより選択されたファイルに前記特定画像データが含まれているかどうかを判別する判別ステップ（例えば図１０に示すステップＳ１００８）と、前記判別ステップにより前記特定画像データが含まれている場合に、前記選択ステップによるファイル選択指示者が正当な指示者かどうかを認証する認証ステップ（例えば図１０に示すステップＳ１００９）と、前記認証ステップによる認証結果に基づき、前記特定画像データを含むファイルを特定画像データのまま前記プリンタ部よりページ出力するか、前記特定画像データを元の原稿画像データに復元して前記プリンタ部よりページ出力するかを制御する制御ステップ（例えば図１０に示すステップＳ１０１０，Ｓ１０１１）とを有することを特徴とする。
【０１３０】
本発明に係る第１４実施態様、前記スキャナ部で複数枚の原稿を読み取る際に、前記複合機能処理で可能な複数の出力形式をページ単位に指示する指示ステップ（例えば図５に示すステップＳ７０３）と、前記指定ステップによりページ単位で指定された出力形式を管理する管理ステップ（例えば図５に示すステップＳ７０４）と、前記管理ステップによりページ単位で管理される出力形式に基づいて、前記記憶手段によって記憶された画像データ中の各ページの画像データを前記複合機能中のいずれかの機能処理に振り分けて出力制御する出力制御ステップ（例えば図５に示すステップＳ７０６）とを有することを特徴とする。
【０１３１】
本発明に係る第１５実施態様、第１１〜第１４実施態様のいずれかに記載の画像処理方法を実現するプログラムを記憶媒体に記憶したことを特徴とする。
【０１３２】
本発明に係る第１６実施態様、第１１〜第１４実施態様のいずれかに記載の画像処理方法を実現するプログラムであることを特徴とする。
【０１３３】
上記各実施形態によれば、すなわちスキャナ部で複数枚の原稿を読み取って記憶された状態で、該記憶された画像データに対して、前記複合機能処理で可能な複数の出力形式をページ単位に指定し、ページ単位で管理される出力形式に基づいて、記憶手段によって記憶された画像データ中の各ページの画像データを前記複合機能中のいずれかの機能処理に振り分けて出力制御することにより、１回の操作で複数ページからなる原稿画像データ中で、任意のページに対して異なる出力形式に対する複合機能処理要求を指示することを可能とし、ページ割された画像データに対して複合機能処理を駆使した所望の出力処理を複数並行処理できる利便性に優れたデータ処理環境を自在に構築することができる。
【０１３４】
また、スキャナ部，プリンタ部，データ通信部を制御して複合機能処理を実行可能なデータ処理装置であって、スキャナ部で複数枚の原稿を読み取る際に、機密保持処理すべきページを指定された場合に、スキャナ部から読み取られる画像データおよびスキャナ部から読み取られる原稿画像データに対して視認判別不能な特定画像データに画像加工された特定画像データをファイルとして記憶した後、選択されたファイルに特定画像データが含まれている場合に、ファイル選択指示者が正当な指示者かどうかを認証し、該認証結果に基づき、前記特定画像データを含むファイルを特定画像データのままプリンタ部よりページ出力するか、前記特定画像データを元の原稿画像データに復元して前記プリンタ部よりページ出力するかを制御することにより、原稿画像の登録者以外の画像出力要求者による画像出力要求に適応して、一連の原稿画像データ中で、特定のページのみを非公開として機密保持しつつ、他のページについては原稿画像をそのまま出力して、機密性と融通性とを両立した利便性に優れたデータ処理環境を自在に構築することができる。
【０１３５】
【発明の効果】
以上説明したように、本発明によれば、スキャナ部，プリンタ部，データ通信部を制御して複合機能処理を実行可能なデータ処理装置において、スキャナ部で複数枚の原稿を読み取る際に、前記複合機能処理で可能な複数の出力形式をページ単位に指定し、該指定された出力形式を管理し、ページ単位で管理される出力形式に基づいて、記憶された画像データ中の各ページの画像データを前記複合機能中のいずれかの機能処理に振り分けて出力制御するので、１回の操作で複数ページからなる原稿画像データ中で、任意のページに対して異なる出力形式に対する複合機能処理要求を指示することを可能とし、ページ割された画像データに対して複合機能処理を駆使した所望の出力処理を複数並行処理できる利便性に優れたデータ処理環境を自在に構築することができる。
【０１３６】
また、スキャナ部で複数枚の原稿を読み取って記憶された状態で、該記憶された画像データに対して、前記複合機能処理で可能な複数の出力形式をページ単位に指定し、ページ単位で管理される出力形式に基づいて、記憶手段によって記憶された画像データ中の各ページの画像データを前記複合機能中のいずれかの機能処理に振り分けて出力制御するので、１回の操作で複数ページからなる原稿画像データ中で、任意のページに対して異なる出力形式に対する複合機能処理要求を指示することを可能とし、ページ割された画像データに対して複合機能処理を駆使した所望の出力処理を複数並行処理できる利便性に優れたデータ処理環境を自在に構築することができる。
【０１３７】
さらに、スキャナ部，プリンタ部，データ通信部を制御して複合機能処理を実行可能なデータ処理装置であって、スキャナ部で複数枚の原稿を読み取る際に、機密保持処理すべきページを指定された場合に、スキャナ部から読み取られる画像データおよびスキャナ部から読み取られる原稿画像データに対して視認判別不能な特定画像データに画像加工された特定画像データをファイルとして記憶した後、選択されたファイルに特定画像データが含まれている場合に、ファイル選択指示者が正当な指示者かどうかを認証し、該認証結果に基づき、前記特定画像データを含むファイルを特定画像データのままプリンタ部よりページ出力するか、前記特定画像データを元の原稿画像データに復元して前記プリンタ部よりページ出力するかを制御するので、原稿画像の登録者以外の画像出力要求者による画像出力要求に適応して、一連の原稿画像データ中で、特定のページのみを非公開として機密保持しつつ、他のページについては原稿画像をそのまま出力して、機密性と融通性とを両立した利便性に優れたデータ処理環境を自在に構築することができるという効果を奏する。
【図面の簡単な説明】
【図１】本発明に係るデータ処理装置を適用可能な画像処理システムの一例を示す図である。
【図２】本発明の第１実施形態を示すデータ処理装置の構成を示すブロック図である。
【図３】図１に示したＭＦＰのスキャナ部の構成を示す断面図である。
【図４】図１に示したＭＦＰのプリンタエンジン部の構成を示す断面図である。
【図５】本発明に係るデータ処理装置における第１のデータ処理手順の一例を示すフローチャートである。
【図６】図１に示したＭＦＰの操作部上における第１のページ別異機能一括設定画面の表示例を示す図である。
【図７】図１に示したＭＦＰの操作部上における第２のページ別異機能一括設定画面の表示例を示す図である。
【図８】本発明に係るデータ処理装置における第２のデータ処理手順の一例を示すフローチャートである。
【図９】本発明に係るデータ処理装置における機密情報頁指定を伴うボックス選択設定画面例を示す図である。
【図１０】本発明に係るデータ処理装置における第３のデータ処理手順の一例を示すフローチャートである。
【図１１】本発明に係るデータ処理装置におけるボックス内文書印刷選択画面例を示す図である。
【図１２】本発明に係るデータ処理装置における機密情報頁指定を伴うボックス保存文書のパスワード照合画面の一例を示す図である。
【図１３】本発明に係るデータ処理装置におけるボックス保存文書に対する処理要求画面の一例を示す図である。
【図１４】本発明に係るデータ処理装置における第４のデータ処理手順の一例を示すフローチャートである。
【図１５】本発明に係るデータ処理装置で読み出し可能な各種データ処理プログラムを格納する記憶媒体のメモリマップを説明する図である。
【符号の説明】
２０１　コンピュータＩ／Ｆ部
２０２　スキャナ部
２０３　ＩＰ部
２０４　ＦＡＸ部
２０５　操作部Ｉ／Ｆ
２０６　操作部
２０７　フィニッシャ
２０８　エンジンＩ／Ｆ部
２０９　プリンタエンジン
２１０　コア部
２１１　ハードディスク
２１２　ストレージ部
【図１】
2004146972.tif 000003
【図２】
2004146972.tif 000004
【図３】
2004146972.tif 000005
【図４】
2004146972.tif 000006
【図５】
2004146972.tif 000007
【図６】
2004146972.tif 000008
【図７】
2004146972.tif 000009
【図８】
2004146972.tif 000010
【図９】
2004146972.tif 000011
【図１０】
2004146972.tif 000012
【図１１】
2004146972.tif 000013
【図１２】
2004146972.tif 000014
【図１３】
2004146972.tif 000015
【図１４】
2004146972.tif 000016
【図１５】
2004146972.tif 000017